(57)【要約】      （修正有）【課題】非交差の回転可能なシャフトを連結するための、回転シャフトトランスミッション装置の提供。【解決手段】シャフトを連結するオフセットギアボックスアセンブリ１５０を含むトランスミッション装置。出力ギア２００はオフセットギアボックスアセンブリ１５０に取り付けられ、連結された出力シャフト５０を回転するため、出力ギア軸２５０を中心として駆動方向に回転可能である。出力ギアに連結されたアイドラーギア３００は、出力ギアと連係してアイドラーギア軸３５０を中心として回転可能である。入力ギアアセンブリ４００は、アイドラーギアに連結され、アイドラーギアと連係して入力ギア軸４５０を中心として回転可能で、また、入力シャフトの回転が出力ギアの駆動方向への回転を引き起こすように入力シャフト６０に連結されている。入力ギアアセンブリは、入力軸方向が出力軸方向に対して非平行になるように連結された入力シャフト６０を有する。【選択図】図３
2017198333.tif 000002
【特許請求の範囲】
【請求項１】
小型の回転シャフトトランスミッション装置であって、
出力軸方向（７０）に延在する回転可能な出力シャフト（５０）と入力軸方向（８０）に延在する回転可能な入力シャフト（６０）とを連結するように構成されたオフセットギアボックスアセンブリ（１５０）と、
前記出力シャフト（５０）を回転するため、前記出力シャフト（５０）に連結され、また、出力ギア軸（２５０）を中心として駆動方向（８５）に回転可能となるように前記オフセットギアボックスアセンブリ（１５０）に取り付けられた出力ギア（２００）と、
前記出力ギア（２００）に連結され、また、前記出力ギア（２００）と連係してアイドラーギア軸（３５０）を中心として回転可能となるように前記オフセットギアボックスアセンブリ（１５０）に取り付けられたアイドラーギア（３００）と、
前記アイドラーギア（３００）に連結され、また、前記アイドラーギア（３００）と連係して入力ギア軸（４５０）を中心として回転可能となるように前記オフセットギアボックスアセンブリ（１５０）に取り付けられた入力ギアアセンブリ（４００）とを備え、前記入力ギアアセンブリ（４００）は、前記入力シャフト（６０）の回転が、前記入力ギアアセンブリ（４００）と前記アイドラーギア（３００）を介して、前記出力ギア（２００）の前記駆動方向（８５）の回転を引き起こすように、前記入力シャフト（６０）に連結されるように配置されており、また、前記入力ギアアセンブリ（４００）は、前記入力シャフト（６０）の前記入力軸方向（８０）が前記出力シャフト（５０）の前記出力軸方向（７０）に対して非平行であるように連結された前記入力シャフト（６０）を有する装置。
【請求項２】
前記出力ギア（２００）は、前記出力ギア軸（２５０）に対して平行に延在する歯を有する出力スパーギアである、請求項１に記載の装置。
【請求項３】
前記アイドラーギア（３００）は、前記アイドラーギア軸（３５０）に対して平行に延在する歯を有するアイドラースパーギアである、請求項１又は２に記載の装置。
【請求項４】
前記入力ギアアセンブリ（４００）は、前記入力ギア軸（４５０）に対して平行に延在する歯を有する入力スパーギア、及び前記入力スパーギアに連結され、連動して回転可能な入力ベベルギアを備え、前記入力ベベルギアは、前記入力軸方向（８０）に延在する前記入力シャフト（６０）に連結される、請求項１から３のいずれか一項に記載の装置。
【請求項５】
前記入力スパーギアと前記入力ギアアセンブリ（４００）の前記入力ベベルギアは一体に連結される、請求項４に記載の装置。
【請求項６】
前記入力シャフト（６０）に連結される入力シャフト（６０）ベベルギアを更に備え、前記入力シャフトベベルギアは、前記入力シャフト（６０）の回転が前記入力ギアアセンブリ（４００）を回転するように、前記入力ギアアセンブリの前記入力ベベルギアに連結されている、請求項４又は５に記載の装置。
【請求項７】
前記入力ギアアセンブリ（４００）は、前記入力軸方向（８０）に延在する前記入力シャフト（６０）に連結された入力ベベロイドギアを備える、請求項１から３のいずれか一項に記載の装置。
【請求項８】
前記出力ギア（２００）は出力ベベロイドギアで、前記アイドラーギア（３００）はアイドラーベベロイドギアで、また、前記入力ギアは前記入力軸方向（８０）に延在する前記入力シャフト（６０）に連結された入力ベベロイドギアである、請求項１から３、又は７のいずれか一項に記載の装置。
【請求項９】
前記出力シャフト（５０）は、前記出力軸方向（７０）が前記出力ギア軸（２５０）に一致するように、前記出力ギア（２００）に連結されている、請求項１から３、７又は８のいずれか一項に記載の装置。
【請求項１０】
前記出力ギア（２００）は、前記出力ギア軸（２５０）が前記アイドラーギア軸（３５０）に対して平行であるように、前記アイドラーギア（３００）に連結されている、請求項１から３、７から９のいずれか一項に記載の装置。
【請求項１１】
小型の回転シャフトトランスミッション装置の製造方法であって、
出力軸方向（７０）に延在する回転可能な出力シャフト（５０）と入力軸方向（８０）に延在する回転可能な入力シャフト（６０）とを連結するように構成されたオフセットギアボックスアセンブリ（１５０）内で、連結された前記出力シャフト（５０）を回転するため、出力ギア（２００）は出力ギア軸（２５０）を中心として駆動方向（８５）に回転可能であるように、前記出力ギア（２００）を取り付けること、
アイドラーギア（３００）は前記出力ギア（２００）に連結され、前記出力ギア（２００）と連係してアイドラーギア軸（３５０）を中心として回転可能であるように、前記アイドラーギア（３００）を前記オフセットギアボックスアセンブリ（１５０）に取り付けること、及び、
入力ギアアセンブリ（４００）は前記アイドラーギア（３００）に連結され、前記アイドラーギア（３００）と連係して入力ギア軸（４５０）を中心として回転可能であるように、前記入力ギアアセンブリ（４００）を前記オフセットギアボックスアセンブリ（１５０）に取り付けることを含み、前記入力シャフト（６０）の回転が、前記入力ギアアセンブリ（４００）と前記アイドラーギア（３００）を介して、前記出力ギア（２００）の前記駆動方向（８５）への回転を引き起こすように、前記入力ギアアセンブリ（４００）は前記入力シャフト（６０）に連結されており、また、前記入力シャフト（６０）の前記入力軸方向（８０）が前記出力シャフト（５０）の前記出力軸方向（７０）に対して非平行であるように、前記入力ギアアセンブリ（４００）は連結された前記入力シャフト（６０）を有する製造方法。
【請求項１２】
出力ギア（２００）を取り付けることは、前記出力ギア軸（２５０）に対して平行に延在する歯を有する出力スパーギアを取り付けることを含む、請求項１１に記載の方法。
【請求項１３】
アイドラーギア（３００）を取り付けることは、前記アイドラーギア軸（３５０）に対して平行に延在する歯を有するアイドラースパーギアを取り付けることを含む、請求項１１又は１２に記載の方法。
【請求項１４】
入力ギアアセンブリ（４００）を取り付けることは、前記入力ギア軸（４５０）に対して平行に延在する歯を有する入力スパーギアを取り付けることを含み、また、入力ベベルギアは、前記入力軸方向（８０）に延在する前記入力シャフト（６０）に前記入力ベベルギアが連結されるように、前記オフセットギアボックスアセンブリ（１５０）内で、前記入力スパーギアに連結され、連動して回転可能である、請求項１１から１３のいずれか一項に記載の方法。
【請求項１５】
入力ギアアセンブリ（４００）を取り付けることは、前記入力ギア軸（４５０）に対して平行に延在する歯を有する入力スパーギアを取り付けることを含み、また、入力ベベルギアは、前記入力軸方向（８０）に延在する前記入力シャフト（６０）に前記入力ベベルギアが連結されるように、前記オフセットギアボックスアセンブリ（１５０）内で、前記入力スパーギアに一体連結され、連動して回転可能である、請求項１１から１４のいずれか一項に記載の方法。
【発明の詳細な説明】
【技術分野】
【０００１】
本開示は、相互間でトルクを伝達するように、向かい合う非交差の回転可能なシャフトを連結するための、小型の（ｌｏｗ−ｐｒｏｆｉｌｅ）回転シャフトトランスミッション装置を対象としている。
【背景技術】
【０００２】
図１に示すように、オフセットギアボックス１は、非交差の（すなわち、オフセットされた）回転可能なシャフト間でトルクの伝達が必要な場合に実装され、そこでは入力シャフトは異なる方向に延在しうる。例えば、航空機の翼フラップの駆動機構に関連して、このような状況に遭遇することがあり、駆動機構のアクチュエータ２は胴体内に配設されうる。このような場合、フラップの操作に欠かせない回転シャフト３は、延在してフラップと係合するため、胴体から離れて、翼の構造的特徴の周囲に向けられなければならない。しかしながら、このような航空機の翼構造の内部を通る場合、アクチュエータ及び駆動機構を実装するための空間や通過領域（ｃｌｅａｒａｎｃｅ  ａｒｅａ）が限られていることも多い。
【０００３】
場合によっては、このようなオフセットギアボックス１は、例えば、図２に示すように、個々のスパーギアの配置（すなわち、ベベルギアギアボックス１０）に連動して装着される従来のベベルギアの配置を実装してもよい。このような場合には、ベベルギアギアボックス１０とスパーギアギアボックス２０とは、ベベルギアギアボックスの出力とスパーギアギアボックスの入力との間の個々の回転シャフト３０を経由し、所望のオフセットを提供する共働ギアボックス１０、２０によって接続されてもよい。
【０００４】
しかしながら、従来のオフセットギアボックスの設置面積、サイズ（容積）、及び／又は重量は用途によっては良い結果をもたらさないため、具体的な用途が限られた空間や狭い通過領域に関係するときには、このような従来のオフセットギアボックスは実装が困難となりうる。更に、限られた空間や狭い通過領域ではシャフトとギアボックスの複雑な配置が必要となりうるため、適用にあたたっては、例えば、効率性、重量及びコストの課題も示されることがある。
【０００５】
そのため、設置面積、サイズ（容積）、重量、構成要素の複雑性と数量、伝達効率、設定要件、及びコストなどの問題に対処する回転シャフトトランスミッション装置が必要となるが、これは従来のオフセットギアボックスを使用する従来の配置には欠けていることがある。
【発明の概要】
【０００６】
１つの態様において、小型の回転シャフトトランスミッション装置を提供する、本開示の態様によって上述及びその他の要求が満たされる。このような装置は、回転可能な入力シャフトと回転可能な出力シャフトとを連結するように構成されたオフセットギアボックスアセンブリ、出力軸方向に延在する出力シャフト、及び入力軸方向に延在する入力シャフトを備えうる。出力ギアは、出力シャフトに連結され、出力シャフトを回転するため出力ギア軸を中心として駆動方向に回転可能であるように、オフセットギアボックスアセンブリに取り付けられる。アイドラーギアは、出力ギアに連結され、出力ギアと連係してアイドラーギア軸を中心として回転可能であるように、オフセットギアボックスアセンブリに取り付けられる。入力ギアアセンブリは、アイドラーギアに連結され、アイドラーギアと連係して入力ギア軸を中心として回転可能であるように、オフセットギアボックスアセンブリに取り付けられる。入力ギアアセンブリは、入力シャフトの回転が、入力ギアアセンブリとアイドラーギアを介して、出力ギアの駆動方向への回転を引き起こすように、入力シャフトに連結されるように配置される。入力ギアアセンブリは、入力シャフトの入力軸方向が出力シャフトの出力軸方向に対して非平行になるように、連結された入力シャフトを有する。
【０００７】
本開示の別の態様は、小型の回転シャフトトランスミッション装置の製造方法を提供する。このような方法は、回転可能な入力シャフトと回転可能な出力シャフトを連結するように構成されたオフセットギアボックスアセンブリに出力ギアを取り付けることを含み、その結果、連結された出力シャフトを回転するため、出力ギアは出力ギア軸を中心にして駆動方向に回転可能で、出力シャフトは出力軸方向に延在し、入力シャフトは入力軸方向に延在する。アイドラーギアは、アイドラーギアが出力ギアに連結され、出力ギアと連係してアイドラーギア軸を中心にして回転可能であるように、オフセットギアボックスアセンブリに取り付けられる。入力ギアアセンブリは、入力ギアアセンブリがアイドラーギアに連結され、アイドラーギアと連係して入力ギア軸を中心にして回転可能であるように、オフセットギアボックスアセンブリに取り付けられ、入力シャフトの回転が、入力ギアアセンブリとアイドラーギアを介して、出力ギアの駆動方向への回転を引き起こすように、入力ギアアセンブリは入力シャフトに連結されており、また、入力シャフトの入力軸方向が出力シャフトの出力軸方向に対して非平行であるように、入力ギアアセンブリは連結された入力シャフトを有する。
【０００８】
本明細書に記載される態様、機能及び利点は、様々な例示的実装／態様において個別に実現されてもよく、又は、更なる詳細が以下の説明及び図面を参照して理解されうる、更に別の例示的実装／態様において組み合わされてもよい。
【０００９】
本開示は、ここまで一般論として説明されており、これから添付の図面を参照するが、それらは必ずしも正しい縮尺で描かれている訳ではない。
【図面の簡単な説明】
【００１０】
【図１】航空機の翼フラップ駆動機構に実装される回転シャフトトランスミッション装置を概略的に示す。
【図２】先行技術による従来のオフセットギアボックス配置を概略的に示す。
【図３】本開示の一態様による、小型の回転シャフトトランスミッション装置の断面図を概略的に示す。
【図４】本開示の一態様による、小型の回転シャフトトランスミッション装置の３次元図を概略的に示す。
【図５】本開示の別の態様による、小型の回転シャフトトランスミッション装置を概略的に示す。
【図６】本開示の更に別の態様による、小型の回転シャフトトランスミッション装置を概略的に示す。
【図７】本開示の一態様による、小型の回転シャフトトランスミッション装置を形成する方法を概略的に示す。
【発明を実施するための形態】
【００１１】
本開示のすべてとは限らないが幾つかの態様が示される添付の図面を参照して、本開示は以下でより詳しく説明されることになる。実際、本開示は、多くの異なる形態で実施可能であり、本明細書に明記された態様に限定されると解釈すべきではなく、むしろ、本開示が包括的かつ完全なものになるように、かつ当業者に本開示の範囲が十分に伝わるように、そして適用可能な法的必要条件を満たすように、これらの態様が提供されている。類似の番号は、全体を通じて類似の要素を指す。明細書及び特許請求の範囲で使用されるように、単数形「１つの（ａ、ａｎ、ｔｈｅ）」は、文脈が明確に指示しない限り、複数の指示対象を含む。
【００１２】
図３〜図６に概略的に示されているように、本開示の様々な態様は小型の回転シャフトトランスミッション装置１００を提示する。このようなトランスミッション装置１００は、ギアボックスハウジング又はケーシングを含みうるオフセットギアボックスアセンブリ１５０を含んでもよい。オフセットギアボックスアセンブリ１５０は、例えば、トルクが回転可能なシャフト５０と６０との間で伝達されうるように、回転可能な入力シャフト６０と回転可能な出力シャフト５０を連結するように構成されてもよい。一般的に、出力シャフト５０は出力軸方向７０に延在し、入力シャフト６０は入力軸方向８０に延在し、シャフト５０とシャフト６０のそれぞれの端部は交差しない（すなわち、オフセットギアボックスアセンブリ１５０に係合するシャフト５０とシャフト６０の端部は相互にオフセットされている）。
【００１３】
図３及び図４に示すように、出力ギア２００は、出力シャフト５０に連結され、出力シャフト５０を回転するため出力ギア軸２５０を中心として駆動方向８５に（すなわち、所望の方向で、駆動方向８５であってもよい）回転可能であるように、オフセットギアボックスアセンブリ１５０に取り付けられている。アイドラーギア３００は、出力ギア２００に連結され、出力ギア２００と連係してアイドラーギア軸３５０を中心として回転可能であるように、オフセットギアボックスアセンブリ１５０に取り付けられている。駆動方向８５に回転する出力ギア２００に関しては、係合するアイドラーギア３００は駆動方向８５とは反対の方向に回転する。入力ギアアセンブリ４００は、アイドラーギア３００に連結され、アイドラーギア３００と連係して入力ギア軸４５０を中心として回転可能であるように、オフセットギアボックスアセンブリ１５０に取り付けられている。より具体的には、入力ギアアセンブリ４００は、入力シャフト６０の回転が、入力ギアアセンブリ４００とアイドラーギア３００を介して、出力ギア２００の駆動方向への回転を引き起こすように、入力シャフト６０に連結されるように構成されている。したがって、入力ギアアセンブリ４００、アイドラーギア３００と出力ギア２００との間の連結関係を踏まえると、入力ギアアセンブリ４００は、アイドラーギア３００と出力ギア２００を順に駆動するように、駆動方向８５に回転するように配置されている。出力シャフト５０のオフセット端部と入力シャフト６０のオフセット端部を連結するオフセット配置を形成して提供するため、入力ギアアセンブリ４００は、入力シャフト６０の入力軸方向８０が出力シャフト５０の出力軸方向７０に対して非平行であるように、連結された入力シャフト６０を有する。
【００１４】
幾つかの態様では、図３及び図４に示すように、出力ギア２００は、出力ギア軸２５０に対して平行に延在する歯を有する出力スパーギア２１０であってもよい。更に、アイドラーギア３００は、アイドラーギア軸３５０に対して平行に延在する歯を有するアイドラースパーギア３１０であってもよい。このような態様では、入力ギアアセンブリ４００は、入力ギア軸４５０に対して平行に延在する歯を有する入力スパーギア４１０、及び入力スパーギア４１０に連結され、連動して回転可能な入力ベベルギア４２０を備え、入力ベベルギア４２０は次に、入力軸方向８０に延在する入力シャフト６０に連結される。すなわち、入力スパーギア４１０は、入力スパーギア４１０と入力ベベルギア４２０が互いに隣り合って配置（すなわち、１つのユニットとして回転可能に固定）されるように、入力ギアアセンブリ４００の入力ベベルギア４２０に（すなわち、接続シャフトなしで）装着又は固定されうる。場合によっては、入力スパーギア４１０と入力ベベルギア４２０は一体形成されてもよく、或いは隣り合う位置関係で連結され、一体のユニットを形成してもよい。したがって、出力ギア２００、アイドラーギア３００と、入力ギアアセンブリ４００との間の配置は、交差しない或いは係合しない出力シャフト５０と入力シャフト６０との間のオフセットに対処し、一方、入力スパーギア４１０は、出力シャフト５０がオフセットギアボックスアセンブリ１５０に係合する角度と比較して、異なる角度で（すなわち、非平行に）オフセットギアボックスアセンブリ１５０に係合する入力シャフト６０に対処する。
【００１５】
場合によっては、入力シャフトベベルギア６５は入力シャフト６０に連結されうる。入力シャフトベベルギア６５は更に、入力シャフト６０の回転が、入力シャフトベベルギア６５と入力ベベルギア４２０との間の係合を介して、入力ギアアセンブリ４００を回転するように、入力ギアアセンブリ４００の入力ベベルギア４２０に連結又は係合されてもよい。より具体的には、入力シャフトベベルギア６５（すなわち、その歯）は、入力シャフト６０の回転が入力スパーギア４１０を含む入力ギアアセンブリ４００の駆動方向８５への回転を引き起こすように、入力ベベルギア４２０（すなわち、その歯）に係合するように構成されてもよい。
【００１６】
代替的な態様では、図５に示すように、入力ベベルギア４２０に装着された又はこれと一体形成された入力スパーギア４１０を備える入力ギアアセンブリ４００に代わって、入力ギアアセンブリ４００は、例えば、入力軸方向８０に延在する入力シャフト６０に連結された、円錐ベベルギアなどの入力ベベロイドギア４３０を備える。すなわち、このような場合には、入力ベベロイドギア４３０は、その歯がアイドラースパーギア３１０の歯と一致する又は係合するように、構成及び配置されてもよく、その結果、入力ベベロイドギア４３０の回転の中心となる入力ベベロイドギア軸４３５は、アイドラーギア軸３５０に対して非平行となる。したがって、入力シャフト６０は入力ベベロイドギア４３０と直接係合してもよく、同様に、入力シャフト６０の入力軸方向８０は入力ベベロイドギア軸４３５に一致してもよい。したがって、このような場合には、入力ベベロイドギア軸４３５のような入力軸方向８０は、アイドラーギア軸３５０に対して非平行で、出力ギア軸２５０又は出力軸方向７０に対しても非平行である。幾つかの態様では、必要に応じて又は要求に応じて、入力シャフトベベロイドギア（図示せず）は入力シャフト６０に係合され、入力ベベロイドギア４３０に連結され、相互作用するように構成されうる。したがって、このような態様では、入力軸方向８０は必ずしも入力ベベロイドギア軸４３５に一致しなくてもよいが、出力軸方向７０に対して非平行になりうる。
【００１７】
更に別の態様では、図６に示すように、トランスミッション装置１００は、出力ギア２００が出力ベベロイドギア２２０で、アイドラーギア３００がアイドラーベベロイドギア３２０で、また、入力ギア４００が入力軸方向８０に延在する入力シャフト６０に連結された入力ベベロイドギア４４０であるように、構成されてもよい。より具体的には、出力ベベロイドギア２２０、アイドラーベベロイドギア３２０、及び入力ベベロイドギア４４０はそれぞれ円錐ベベロイドギアとして構成されてもよく、出力ベベロイドギア軸２２５がアイドラーベベロイドギア軸３２５に対して平行になるように、出力ベベロイドギア２２０の配向とアイドラーベベロイドギア３２０の配向は互いに反転されている。このような場合、入力ベベロイドギア４４０は、その歯がアイドラーベベロイドギア３２０の歯と一致する又は係合するように、構成及び配置されてもよく、その結果、入力ベベロイドギア４４０の回転の中心となる入力ベベロイドギア軸４４５は、アイドラーベベロイドギア軸３２５に対して非平行となる。したがって、入力シャフト６０は入力ベベロイドギア４４０と直接係合してもよく、同様に、入力シャフト６０の入力軸方向８０は入力ベベロイドギア軸４４５に一致してもよい。したがって、このような場合には、入力ベベロイドギア軸４４５のような入力軸方向６０は、アイドラーベベロイドギア軸３２５に対して非平行で、出力ベベロイドギア軸２２５又は出力軸方向７０に対しても非平行である。幾つかの態様では、必要に応じて又は要求に応じて、入力シャフトベベロイドギア（図示せず）は入力シャフト６０に係合され、入力ベベロイドギア４４０に連結され、相互作用するように構成されうる。したがって、このような態様では、入力軸方向８０は必ずしも入力ベベロイドギア軸４４５に一致しなくてもよいが、出力軸方向７０に対して非平行になりうる。
【００１８】
本明細書に開示のトランスミッション装置１００の態様に関して、幾つかの場合には、出力シャフト５０は、出力軸方向７０が出力ギア軸２５０に一致するように、出力ギア２００に連結されるように構成されてもよい。更に、出力ギア２００は、出力ギア軸２５０がアイドラーギア軸３５０に対して平行であるように、アイドラーギア３００に連結されるように構成されてもよい。また、当業者であればわかるように、本明細書に開示のトランスミッション装置１００の態様は、オフセットギアボックスアセンブリ１５０へのギアの取り付けに欠かせない他の要素、例えば、シャフト、ベアリング、シム、ファスナなどを含みうる。そのため、本明細書に開示のトランスミッション装置１００の様々な態様は、上記の他の要素がこれらの態様と関連して明示的に記載されていない場合でも、これらの態様に関連する目的と機能を実現するためには、トランスミッション装置１００に必要とされる他の要素の任意の組み合わせを含むことが理解されよう。
【００１９】
図７は、小型の回転シャフトトランスミッション装置を製造する方法を概略的に示している。このような方法は、出力ギアが出力シャフトに連結され、出力シャフトを回転するように、回転可能な入力シャフトと回転可能な出力シャフトを連結するように構成されたオフセットギアボックスアセンブリに出力ギアを取り付けることを含み、出力シャフトは出力軸方向に延在し、また、入力シャフトは入力軸方向に延在し、駆動方向に回転可能である（ブロック５００）。アイドラーギアは、アイドラーギアが出力ギアに連結され、連係して回転可能であるように、オフセットギアボックスアセンブリに取り付けられている（ブロック５２０）。入力ギアアセンブリは、入力ギアアセンブリがアイドラーギアに連結され、連係して回転可能であるように、オフセットギアボックスアセンブリに取り付けられており、入力ギアアセンブリは、入力シャフトの駆動方向への回転が、入力ギアアセンブリ、アイドラーギア、及び出力ギアを介して、出力シャフトの駆動方向への回転を引き起こすように、入力シャフトに連結されており、また、入力ギアアセンブリは、入力シャフトの入力軸方向が出力シャフトの出力軸方向に対して非平行であるように、連結された入力シャフトを有する（ブロック５４０）。小型の回転シャフトトランスミッション装置を製造する方法の他の態様及び／又はステップは、本明細書で取り上げられる小型の回転シャフトトランスミッション装置の様々な実施形態及び態様の開示に関連して開示される。
【００２０】
したがって、本開示の態様は、相互間でトルクを伝達するように、向かい合う非交差の回転可能なシャフトを連結するための、小型の回転シャフトトランスミッション装置、並びに関連する方法を提供する。これにより、従来のオフセットギアボックス装置にあった問題に対する改善点、例えば、小さな設置面積、小さなサイズ（容積）、軽量、複雑さの軽減、及び／又は構成要素数の低減、トルク伝達効率の向上、設定要件の軽減、及び／又はコスト低減、従来のオフセットギアボックスを使用する従来の配置では欠けていた事柄などを実現することができる。
【００２１】
上記の説明及び関連する図面に提示された教示の利益を有するこれらの開示に関連する、本明細書に記載された開示の多くの修正例及び他の態様が、当業者には想起されよう。例えば、本明細書に記載のトランスミッション装置１００の様々な態様の１つの要素は、「出力ギア」（例えば、出力ギア２００）と称され、別の要素は「入力ギアアセンブリ」（例えば、入力ギアアセンブリ４００）と称されているが、トランスミッション装置１００の配置は、トルク伝達が必要に応じて又は要求に応じて、反転可能であることを証明している。すなわち、幾つかの態様では、トルク出力又は出力ギアは「入力ギアアセンブリ４００」によって代表され、一方、トルク入力又は入力ギアアセンブリは「出力ギア２００」によって代表されうる。別の実施例では、図４に示すように、トランスミッション装置１００は複数の出力ギアを含みうる。より具体的には、例えば、入力ギアアセンブリ４００は、第２の出力軸方向７０Ａに延在する第２の出力シャフト５０Ａに係合する第２の出力ギア２００Ａに係合するように、また、アイドラーギア３００によって駆動される出力ギア２００に加えて、第２の出力ギア２００Ａを駆動するように、構成されうる。したがって、本開示は、開示された特定の態様に限定されるものでなく、均等物、修正例、及び他の態様は、添付の特許請求の範囲に含まれることを意図しているものと理解されたい。本明細書では特定の用語が用いられているが、それらは、一般的かつ説明的意味でのみ使用されており、限定を目的とするものではない。
【００２２】
条項１．  小型の回転シャフトトランスミッション装置であって、
出力軸方向に延在する回転可能な出力シャフトと入力軸方向に延在する回転可能な入力シャフトとを連結するように構成されたオフセットギアボックスアセンブリと、
前記出力シャフトを回転するため、前記出力シャフトに連結され、また、出力ギア軸を中心として駆動方向に回転可能となるように前記オフセットギアボックスアセンブリに取り付けられた出力ギアと、
前記出力ギアに連結され、また、前記出力ギアと連係してアイドラーギア軸を中心として回転可能となるように前記オフセットギアボックスアセンブリに取り付けられたアイドラーギアと、
前記アイドラーギアに連結され、また、前記アイドラーギアと連係して入力ギア軸を中心として回転可能となるように前記オフセットギアボックスアセンブリに取り付けられた入力ギアアセンブリとを備え、前記入力ギアアセンブリは、前記入力シャフトの回転が、前記入力ギアアセンブリと前記アイドラーギアを介して、前記出力ギアの前記駆動方向の回転を引き起こすように、前記入力シャフトに連結されるように配置されており、また、前記入力ギアアセンブリは、前記入力シャフトの前記入力軸方向が前記出力シャフトの前記出力軸方向に対して非平行であるように連結された前記入力シャフトを有する装置。
【００２３】
条項２．  前記出力ギアは、前記出力ギア軸に対して平行に延在する歯を有する出力スパーギアである、条項１に記載の装置。
【００２４】
条項３．  前記アイドラーギアは、前記アイドラーギア軸に対して平行に延在する歯を有するアイドラースパーギアである、条項１又は２に記載の装置。
【００２５】
条項４．  前記入力ギアアセンブリは、前記入力ギア軸に対して平行に延在する歯を有する入力スパーギア、及び前記入力スパーギアに連結され、連動して回転可能な入力ベベルギアを備え、前記入力ベベルギアは、前記入力軸方向に延在する前記入力シャフトに連結される、条項１から３のいずれか一項に記載の装置。
【００２６】
条項５．  前記入力スパーギアと前記入力ギアアセンブリの前記入力ベベルギアは一体に連結される、条項４に記載の装置。
【００２７】
条項６．  前記入力シャフトに連結される入力シャフトベベルギアを更に備え、前記入力シャフトベベルギアは、前記入力シャフトの回転が前記入力ギアアセンブリを回転するように、前記入力ギアアセンブリの前記入力ベベルギアに連結されている、条項４又は５に記載の装置。
【００２８】
条項７．  前記入力ギアアセンブリは、前記入力軸方向に延在する前記入力シャフトに連結された入力ベベロイドギアを備える、条項１から３のいずれか一項に記載の装置。
【００２９】
条項８．  前記出力ギアは出力ベベロイドギアで、前記アイドラーギアはアイドラーベベロイドギアで、また、前記入力ギアは前記入力軸方向に延在する前記入力シャフトに連結された入力ベベロイドギアである、条項１から３、又は７のいずれか一項に記載の装置。
【００３０】
条項９．  前記出力シャフトは、前記出力軸方向が前記出力ギア軸に一致するように、前記出力ギアに連結されている、条項１から３、７又は８のいずれか一項に記載の装置。
【００３１】
条項１０．  前記出力ギアは、前記出力ギア軸が前記アイドラーギア軸に対して平行であるように、前記アイドラーギアに連結されている、条項１から３、７から９のいずれか一項に記載の装置。
【００３２】
条項１１．  小型の回転シャフトトランスミッション装置の製造方法であって、
出力軸方向に延在する回転可能な出力シャフトと入力軸方向に延在する回転可能な入力シャフトとを連結するように構成されたオフセットギアボックスアセンブリ内で、連結された前記出力シャフトを回転するため、出力ギアは出力ギア軸を中心として駆動方向に回転可能であるように、前記出力ギアを取り付けること、
アイドラーギアは前記出力ギアに連結され、前記出力ギアと連係してアイドラーギア軸を中心として回転可能であるように、前記アイドラーギアを前記オフセットギアボックスアセンブリに取り付けること、及び、
入力ギアアセンブリは前記アイドラーギアに連結され、前記アイドラーギアと連係して入力ギア軸を中心として回転可能であるように、前記入力ギアアセンブリを前記オフセットギアボックスアセンブリに取り付けることを含み、前記入力シャフトの回転が、前記入力ギアアセンブリと前記アイドラーギアを介して、前記出力ギアの前記駆動方向への回転を引き起こすように、前記入力ギアアセンブリは前記入力シャフトに連結されており、また、前記入力シャフトの前記入力軸方向が前記出力シャフトの前記出力軸方向に対して非平行であるように、前記入力ギアアセンブリは連結された前記入力シャフトを有する製造方法。
【００３３】
条項１２．  出力ギアを取り付けることは、前記出力ギア軸に対して平行に延在する歯を有する出力スパーギアを取り付けることを含む、条項１１に記載の方法。
【００３４】
条項１３．  アイドラーギアを取り付けることは、前記アイドラーギア軸に対して平行に延在する歯を有するアイドラースパーギアを取り付けることを含む、条項１１又は１２に記載の方法。
【００３５】
条項１４．  入力ギアアセンブリを取り付けることは、前記入力ギア軸に対して平行に延在する歯を有する入力スパーギアを取り付けることを含み、また、入力ベベルギアは、前記入力軸方向に延在する前記入力シャフトに前記入力ベベルギアが連結されるように、前記オフセットギアボックスアセンブリ内で、前記入力スパーギアに連結され、連動して回転可能である、条項１１から１３のいずれか一項に記載の方法。
【００３６】
条項１５．  入力ギアアセンブリを取り付けることは、前記入力ギア軸に対して平行に延在する歯を有する入力スパーギアを取り付けることを含み、また、入力ベベルギアは、前記入力軸方向に延在する前記入力シャフトに前記入力ベベルギアが連結されるように、前記オフセットギアボックスアセンブリ内で、前記入力スパーギアに一体連結され、連動して回転可能である、条項１１から１４のいずれか一項に記載の方法。
【００３７】
条項１６．  前記入力シャフトに入力シャフトベベルギアを連結することを更に含み、前記入力シャフトベベルギアは、前記入力シャフトの回転が前記入力ギアアセンブリを回転するように、前記入力ギアアセンブリの前記入力ベベルギアに連結されている、条項１１から１５のいずれか一項に記載の方法。
【００３８】
条項１７．  入力ギアアセンブリを取り付けることは、入力ベベロイドギアをオフセットギアボックスアセンブリに取り付けることを含み、その結果、前記ベベロイドギアは前記入力軸方向に延在する入力シャフトに連結される、条項１１から１６のいずれか一項に記載の方法。
【００３９】
条項１８．  出力ギアを取り付けることは出力ベベロイドギアを前記オフセットギアボックスアセンブリに取り付けることを含み、アイドラーギアを取り付けることはアイドラーベベロイドギアを前記オフセットギアボックスアセンブリに取り付けることを含み、また、入力ギアを取り付けることは、前記入力ベベロイドギアが前記入力軸方向に延在する前記入力シャフトに連結されるように、入力ベベロイドギアを前記オフセットギアボックスアセンブリに取り付けることを含む、条項１１から１７のいずれか一項に記載の方法。
【００４０】
条項１９．  前記出力ギア方向が前記出力ギア軸に一致するように、前記出力シャフトを前記出力ギアに連結することを含む、条項１１から１８のいずれか一項に記載の方法。
【００４１】
条項２０．  前記出力ギア軸が前記アイドラーギア軸に平行になるように、前記出力ギアを前記アイドラーギアに連結することを含む、条項１１から１９のいずれか一項に記載の方法。
【図１】
2017198333.tif 000003
【図２】
2017198333.tif 000004
【図３】
2017198333.tif 000005
【図４】
2017198333.tif 000006
【図５】
2017198333.tif 000007
【図６】
2017198333.tif 000008
【図７】
2017198333.tif 000009
【外国語明細書】
2017198333000001.pdf
2017198333000002.pdf
2017198333000003.pdf
2017198333000004.pdf